(57)【要約】【課題】光触媒加工された対象物の汚染状態に応じて適量の紫外線を照射することができるＵＶＬＥＤ照射システムを提供する。【解決手段】ＵＶＬＥＤ照射システム１は、対象物２を含む検知エリアの人体の不在を検知した場合に不在信号を出力する人感センサ５０又は５５と、対象物２を含む空間の臭気レベルＬｏを示す汚染レベル信号を出力する臭気センサ６０と、対象物２に紫外線を照射可能なＵＶＬＥＤ３０と、ＵＶＬＥＤ３０を可変の出力状態で点灯可能なＵＶＬＥＤ点灯装置４０と、不在信号が出力されている場合にＵＶＬＥＤ点灯装置４０にＵＶＬＥＤ３０を点灯させる点消灯制御部７１と、汚染レベル信号が示す臭気レベルＬｏの増加に対して紫外線の照射強度が増加するようにＵＶＬＥＤ点灯装置４０の出力状態を決定するＵＶ強度決定部７２とを備える。【選択図】  図１
2018190604.tif 000002
【特許請求の範囲】
【請求項１】
ＵＶＬＥＤ照射システムであって、
対象物を含む検知エリアの人体の不在を検知した場合に不在信号を出力する人感センサと、
前記対象物を含む空間の臭気レベルを示す汚染レベル信号を出力する臭気センサと、
前記対象物に紫外線を照射可能なＵＶＬＥＤと、
前記ＵＶＬＥＤを可変の出力状態で点灯可能なＵＶＬＥＤ点灯装置と、
前記不在信号が出力されている場合に前記ＵＶＬＥＤ点灯装置に前記ＵＶＬＥＤを点灯させる点消灯制御部と、
前記汚染レベル信号が示す前記臭気レベルの増加に対して前記紫外線の照射強度が増加するように前記出力状態を決定するＵＶ強度決定部と
を備えたＵＶＬＥＤ照射システム。
【請求項２】
前記対象物が便器であり、前記臭気センサが、アンモニア成分を検知するセンサであり、前記便器よりも高い位置に配置された、請求項１に記載のＵＶＬＥＤ照射システム。
【請求項３】
前記対象物を含む空間を照射可能な照明用ＬＥＤと、
前記照明用ＬＥＤを点灯させるＬＥＤ点灯装置と
をさらに備え、
前記人感センサが、前記対象物を含む室内における人体の不在を検知した場合に不在信号を出力するように構成され、
前記点消灯制御部が、前記ＵＶＬＥＤの点灯中には前記ＬＥＤ点灯装置に前記照明用ＬＥＤを消灯させるように構成された、請求項１又は２に記載のＵＶＬＥＤ照射システム。
【請求項４】
ｎ回目の不在信号の出力からｎ＋１回目の不在信号の出力までの時間間隔を測定する計時部をさらに備え、
前記ＵＶ強度決定部が、前記時間間隔の増加に応じて前記ｎ＋１回目の前記紫外線の照射強度が増加するように前記出力状態を決定するように構成された、請求項１から３のいずれか一項に記載のＵＶＬＥＤ照射システム。
【請求項５】
前記対象物が壁掛便器であり、
前記人感センサが、前記壁掛便器に正対する人体の不在を検知した場合に不在信号を出力するように構成された、請求項１に記載のＵＶＬＥＤ照射システム。
【請求項６】
ＵＶＬＥＤ照射システムであって、
壁掛便器を含む室内の人体の不在を検知した場合に第１の不在信号を出力する広域人感センサと、
前記壁掛便器に正対する人体の不在を検知した場合に第２の不在信号を出力する狭域人感センサと、
前記室内の臭気レベルを示す汚染レベル信号を出力する臭気センサと、
前記壁掛便器に紫外線を照射可能なＵＶＬＥＤと、
前記ＵＶＬＥＤを可変の出力状態で点灯可能なＵＶＬＥＤ点灯装置と、
前記汚染レベル信号が示す前記臭気レベルの増加に対して前記紫外線の照射強度が増加するように前記出力状態を決定するＵＶ強度決定部と、
前記第１の不在信号が出力されている場合には、前記ＵＶ強度決定部によって決定された出力状態を得るように前記ＵＶＬＥＤ点灯装置を制御し、前記第１の不在信号が出力されずかつ前記第２の不在信号が出力されている場合には、所定の低レベルの出力状態を得るように前記ＵＶＬＥＤ点灯装置を制御する出力調整部と
を備えたＵＶＬＥＤ照射システム。
【請求項７】
前記臭気センサが、アンモニア成分を検知するセンサであり、前記壁掛便器よりも高い位置に配置された、請求項５又は６に記載のＵＶＬＥＤ照射システム。
【請求項８】
前記ＵＶ強度決定部が、前記臭気レベルがゼロの場合に前記紫外線の照射強度を所定の待機用照射強度に維持するように構成された、請求項１から７のいずれか一項に記載のＵＶＬＥＤ照射システム。
【請求項９】
前記ＵＶ強度決定部が、前記臭気レベルがゼロの場合に前記ＵＶＬＥＤ点灯装置の出力を停止させるように構成された、請求項１から７のいずれか一項に記載のＵＶＬＥＤ照射システム。
【発明の詳細な説明】
【技術分野】
【０００１】
本発明は、ＵＶＬＥＤ照射システムに関する。
【背景技術】
【０００２】
光触媒加工が施されているトイレ、洗面器などの対象物に紫外線（ＵＶ）が照射されると、その表面で汚染物質が分解され、防汚、脱臭、抗菌、浄化などの効果が得られることが知られている。しかし、ＵＶは人体に害（コラーゲン繊維の破壊）を与えるため、ＵＶを常時、例えばトイレ使用中に、対象物に照射することは望ましくない。そのため、人感センサなどを用いて使用者の不在が確認された場合にのみＵＶ照射を行うことが好ましい（例えば、特許文献１〜３参照）。
【先行技術文献】
【特許文献】
【０００３】
【特許文献１】特開２００１−６５０３５号公報
【特許文献２】特開２０１７−２９２９３号公報
【特許文献３】特開２００６−２７４５７３号公報
【発明の概要】
【発明が解決しようとする課題】
【０００４】
しかし、上記のように、人感センサによって人体の不在を検知してＵＶ照射を行う構成によると、使用者の出入りの頻度が高いトイレ施設などでは、ＵＶ照射の機会がほとんどなくなる場合がある。このような状況では、対象物の汚染状態に対してＵＶ照射が過小となり、上記光触媒効果が得られにくくなる。一方、少ない機会のＵＶ照射でより大きな光触媒効果を得るためにＵＶ照射強度を増加させると、対象物の汚染レベルに対してＵＶ照射が過剰となる場合があり、省エネの観点から好ましくない。
【０００５】
そこで、本発明は、光触媒加工された対象物の汚染状態に応じて適量の紫外線を照射することができるＵＶＬＥＤ照射システムを提供することを課題とする。
【課題を解決するための手段】
【０００６】
本発明の第１の形態のＵＶＬＥＤ照射システムは、対象物を含む検知エリアの人体の不在を検知した場合に不在信号を出力する人感センサと、対象物を含む空間の臭気レベルを示す汚染レベル信号を出力する臭気センサと、対象物に紫外線を照射可能なＵＶＬＥＤと、ＵＶＬＥＤを可変の出力状態で点灯可能なＵＶＬＥＤ点灯装置と、不在信号が出力されている場合にＵＶＬＥＤ点灯装置にＵＶＬＥＤを点灯させる点消灯制御部と、汚染レベル信号が示す臭気レベルの増加に対して紫外線の照射強度が増加するようにＵＶＬＥＤ点灯装置の出力状態を決定するＵＶ強度決定部とを備える。
【０００７】
上記構成によると、ＵＶ強度決定部が、臭気レベルの増加に応じてＵＶＬＥＤからの紫外線の照射強度が増加するようにＵＶＬＥＤ点灯装置の出力状態を決定する。対象物は、便器などである。これにより、光触媒加工された便器などの対象物の汚染状態に応じて適量の紫外線を照射することができるＵＶＬＥＤ照射システムが実現される。
【０００８】
さらに、対象物を含む空間を照射可能な照明用ＬＥＤと、照明用ＬＥＤを点灯させるＬＥＤ点灯装置とが設けられ、人感センサが、対象物を含む室内における人体の不在を検知した場合に不在信号を出力するように構成され、点消灯制御部が、ＵＶＬＥＤの点灯中にはＬＥＤ点灯装置に照明用ＬＥＤを消灯させることが好ましい。これにより、紫外線照射中に使用者が上記空間に入ってしまうことが確実に防止される。
【０００９】
第２の形態のＵＶＬＥＤ照射システムは、上記第１の形態において、ｎ回目の不在信号の出力からｎ＋１回目の不在信号の出力までの時間間隔を測定する計時部をさらに備え、ＵＶ強度決定部が、時間間隔の増加に応じてｎ＋１回目の紫外線の照射強度が増加するように出力状態を決定する。これにより、空間における換気などによって壁掛便器から臭気センサまで臭気成分が到達しにくい場合においても、ＵＶＬＥＤによる紫外線照射が適宜行われる。したがって、第１の形態における効果が得られるとともに、汚染がより確実に抑制される。
【００１０】
第３の形態のＵＶＬＥＤ照射システムでは、上記第１の形態において、対象物は壁掛便器であり、人感センサは、壁掛便器に正対する人体の不在を検知した場合に不在信号を出力するように構成される。これにより、各壁掛便器に対して個別にＵＶＬＥＤの点消灯が制御されるので、空間全体として空室となり難い状況においても、各壁掛便器へのＵＶ照射を頻繁に行うことができる。したがって、第１の形態における効果が得られるとともに、各壁掛便器の汚染レベルがより確実に抑制される。
【００１１】
第４の形態のＵＶＬＥＤ照射システムは、壁掛便器を含む室内の人体の不在を検知した場合に第１の不在信号を出力する広域人感センサと、壁掛便器に正対する人体の不在を検知した場合に第２の不在信号を出力する狭域人感センサと、室内の臭気レベルを示す汚染レベル信号を出力する臭気センサと、壁掛便器に紫外線を照射可能なＵＶＬＥＤと、ＵＶＬＥＤを可変の出力状態で点灯可能なＵＶＬＥＤ点灯装置と、汚染レベル信号が示す臭気レベルの増加に対して紫外線の照射強度が増加するように出力状態を決定するＵＶ強度決定部と、第１の不在信号が出力されている場合には、ＵＶ強度決定部によって決定された出力状態を得るようにＵＶＬＥＤ点灯装置を制御し、第１の不在信号が出力されずかつ第２の不在信号が出力されている場合には、所定の低レベルの出力状態を得るようにＵＶＬＥＤ点灯装置を制御する出力調整部とを備える。
【００１２】
上記構成により、室内全体で使用者が不在の場合には臭気レベルに応じた強度で紫外線照射が行われ、室内に使用者が存在する場合には使用中でない壁掛便器に対してのみ低レベルの強度で紫外線照射が行われる。したがって、第１の形態における効果が得られるとともに、各壁掛便器に対する紫外線照射の頻度を高めて紫外線照射量を確保しつつ、室内に存在する使用者に対する反射紫外線の影響を抑制することが可能となる。
【００１３】
第１から第４の形態のＵＶＬＥＤ照射システムにおいて、臭気センサがアンモニア成分を検知するセンサであり、臭気センサは便器又は壁掛便器よりも高い位置に配置されることが好ましい。これにより、空気よりも軽いアンモニアが確実に検出される。
【００１４】
上記第１から第４の形態のＵＶＬＥＤ照射システムにおいて、ＵＶ強度決定部が、臭気レベルがゼロの場合に紫外線の照射強度を所定の待機用照射強度に維持するように構成されてもよい。これにより、対象物における微量の汚染物質からの汚染の増加が確実に防止される。
【００１５】
上記第１から第４の形態のＵＶＬＥＤ照射システムにおいて、ＵＶ強度決定部が、臭気レベルがゼロの場合にＵＶＬＥＤ点灯装置の出力を停止させるように構成され得る。これにより、ＵＶＬＥＤ照射システムにおける省エネ性が向上する。
【図面の簡単な説明】
【００１６】
【図１】第１の実施形態によるＵＶＬＥＤ照射システムのブロック図である。
【図２】第１の実施形態によるＵＶＬＥＤ照射システムの概観図である。
【図３Ａ】第１の実施形態におけるＵＶＬＥＤ点灯装置を説明する図である。
【図３Ｂ】第１の実施形態におけるＵＶＬＥＤ点灯装置を説明する図である。
【図４】第１の実施形態によるＵＶＬＥＤ照射システムの動作を説明する図である。
【図５】第１の実施形態によるＵＶＬＥＤ照射システムの一態様を示すブロック図である。
【図６】第２の実施形態によるＵＶＬＥＤ照射システムのブロック図である。
【図７】第３の実施形態によるＵＶＬＥＤ照射システムのブロック図である。
【図８】第３の実施形態によるＵＶＬＥＤ照射システムの一態様を示すブロック図である。
【図９】第４の実施形態によるＵＶＬＥＤ照射システムのブロック図である。
【図１０Ａ】第４の実施形態におけるＵＶＬＥＤ点灯装置を説明する図である。
【図１０Ｂ】第４の実施形態におけるＵＶＬＥＤ点灯装置を説明する図である。
【発明を実施するための形態】
【００１７】
＜第１の実施形態＞
図１に本発明の第１の実施形態によるＵＶＬＥＤ照射システム１のブロック図を示し、図２にＵＶＬＥＤ照射システム１の概観図を示す。図２に示すように、ＵＶＬＥＤ照射システム１は、例えば、トイレに設置され、壁掛便器２（対象物）を含む空間Ｓに照明を与えるとともに、光触媒加工された壁掛便器２を紫外線（ＵＶ）殺菌するものである。
【００１８】
ＵＶＬＥＤ照射システム１は、照明用ＬＥＤ１０、ＬＥＤ点灯装置２０、ＵＶＬＥＤ３０、ＵＶＬＥＤ点灯装置４０、人感センサ５０、臭気センサ６０及び制御部７０を備える（図２の符号５５については第３の実施形態以降で説明する）。ＬＥＤ点灯装置２０、ＵＶＬＥＤ点灯装置４０及び制御部７０は、交流電源ＡＣから給電される。なお、図の明瞭化のため、交流電源ＡＣから各構成要素への配線、及び各構成要素間の配線を単線で示しているが、これらは実際には二線で配線される。
【００１９】
照明用ＬＥＤ１０は、空間Ｓの天井Ｃに設置され、壁掛便器２を含む空間（すなわち、室内）に照明を与える。ＬＥＤ点灯装置２０は、交流電源ＡＣからの交流電圧を直流電流に変換して、この直流電流を照明用ＬＥＤ１０に供給する。ＬＥＤ点灯装置２０の動作状態は、制御部７０によって決定される。
【００２０】
ＵＶＬＥＤ３０は、空間Ｓの天井Ｃに設置され、照射範囲Ｒに含まれる壁掛便器２にＵＶを照射する。壁掛便器２の表面には光触媒加工（コーティング）が施されている。すなわち、壁掛便器２にＵＶＬＥＤ３０からＵＶが照射されると、壁掛便器２の表面の汚れ成分が光触媒作用によって分解され、これにより壁掛便器２の洗浄が行われる。ＵＶＬＥＤ点灯装置４０は、交流電源ＡＣからの交流電圧を直流電流に変換して、この直流電流をＵＶＬＥＤ３０に供給する。ＵＶＬＥＤ点灯装置４０の動作状態は、制御部７０によって決定される。
【００２１】
人感センサ５０は、空間Ｓの天井Ｃに設置され、室内（すなわち、トイレ全体）の人体の在／不在を検知する。人感センサ５０は、検知エリアにおける熱の短時間的な変化を感知して人体の在／不在を検知する焦電型赤外線センサ、撮像素子によって撮像された画像に画像認識技術を適用して人体の在／不在を検知する画像センサ、又は発射したマイクロ波の反射波から人体の動きを検出して在／不在を検知するマイクロ波センサである。人感センサ５０は、空間Ｓ内の人体の在／不在に応じて反転する人感検知信号を生成し、この人感検知信号を制御部７０に出力する。説明の便宜上、人感検知信号は、人体の在／不在にそれぞれ対応する在信号／不在信号からなるものとする。すなわち、在信号及び不在信号の一方が「０」で表され、他方が「１」で表される。
【００２２】
臭気センサ６０は、空間Ｓの天井Ｃに設置され、壁掛便器２の臭気レベルＬｏを検知する。臭気センサ６０は、大気中のアンモニア成分を検出するセンサであり、アンモニア成分の検知量によって臭気レベルＬｏを特定する。ここで、臭気センサ６０は、天井Ｃなど、室内において壁掛便器２よりも高い位置に（好ましくは最も高い位置に）設置されることが好ましい。これにより、空気よりも軽いアンモニアの成分が臭気センサ６０によって確実に検出される。臭気センサ６０は、臭気レベルＬｏを示す汚染レベル信号（例えば、アナログ信号）を生成し、汚染レベル信号を制御部７０に出力する。
【００２３】
制御部７０は、点消灯制御部７１及びＵＶ強度決定部７２を含み、マイコンなどで構成される。制御部７０は、人感検知信号又は汚染レベル信号に応じて、ＬＥＤ点灯装置２０及びＵＶＬＥＤ点灯装置４０の出力状態を決定する。
【００２４】
点消灯制御部７１は、人感センサ５０から在信号が入力される場合、ＬＥＤ点灯装置２０に照明用ＬＥＤ１０を点灯させ、ＵＶＬＥＤ点灯装置４０にＵＶＬＥＤ３０を消灯させる。一方、点消灯制御部７１は、人感センサ５０から不在信号が入力される場合、その入力の直後又は所定時間経過後に、ＬＥＤ点灯装置２０に照明用ＬＥＤ１０を消灯させ、ＵＶＬＥＤ点灯装置４０にＵＶＬＥＤ３０を点灯させる。上記の所定時間は数秒であればよく、この所定時間を確保することによって、使用者が静止したことに起因して不在信号が出力されてしまった場合に（おそらくは照明用ＬＥＤ１０の消灯に応じて使用者が動くことによって在信号が再出力される）、その使用者にＵＶが照射されてしまうことを防止することができる。
【００２５】
ＵＶ強度決定部７２は、臭気センサ６０からの汚染レベル信号の臭気レベルＬｏに応じて、ＵＶＬＥＤ点灯装置４０の出力を制御する。すなわち、臭気レベルＬｏの増加／減少に応じてＵＶＬＥＤ３０からのＵＶ照射強度がそれぞれ増加／減少するようにＵＶＬＥＤ点灯装置４０の出力状態を決定する。
【００２６】
図３Ａ及び図３Ｂは、ＵＶＬＥＤ点灯装置４０の出力制御の構成を説明する図である。ＵＶＬＥＤ点灯装置４０は、整流回路及びＤＣ／ＤＣコンバータで構成され得る。ＤＣ／ＤＣコンバータの一例として、図３Ａにはフライバックコンバータを示す。例えば、ＵＶＬＥＤ点灯装置４０は、整流回路４１、入力コンデンサ４２、トランス４３、スイッチング素子（ＦＥＴ）４４、ダイオード４５、出力コンデンサ４６及びドライバ４７を備える。ＦＥＴ４４は、ドライバ４７によってＰＷＭ駆動される。点消灯制御部７１は、在信号に応じてドライバ４７の動作を停止させてＦＥＴ４４をオフに維持する。一方、点消灯制御部７１は、不在信号に応じてドライバ４７の動作を有効化する。そして、ＵＶ強度決定部７２は、臭気レベルＬｏの増加／減少に応じて、ＦＥＴ４４のＰＷＭ駆動におけるオン時間（又はオンデューティ）を増加／減少させ、ＵＶＬＥＤ３０によるＵＶ照射強度を増加／減少させる。
【００２７】
また、図３Ｂに示すように、スイッチング素子（ＦＥＴ）４９がＤＣ／ＤＣコンバータ４８の出力経路に挿入接続されてもよい。なお、ＤＣ／ＤＣコンバータ４８には、フライバックコンバータ、力率改善回路＋降圧チョッパ回路（バック型コンバータ）など、任意の形態のコンバータが採用され得る。点消灯制御部７１は、在信号に応じてＦＥＴ４９をオフに維持し、不在信号に応じてＦＥＴ４９のオフ状態を解除する。そして、ＵＶ強度決定部７２は、臭気レベルＬｏの増加に応じて、ＦＥＴ４９のＰＷＭ駆動におけるオンデューティを増加／減少させて、ＵＶＬＥＤ３０からのＵＶ照射強度を増加／減少させる。ＦＥＴ４９のＰＷＭ駆動におけるスイッチング周波数は、０．１Ｈｚ〜１００ｋＨｚ程度であればよい。ＵＶＬＥＤ３０の点灯は使用者の不在時を前提とするため、そして紫外線照射自体が可視光ではないため、点灯に起因するちらつきなどが現れてもよい。したがって、スイッチング周波数の下限は、ＵＶ強度決定部７２及びＦＥＴ４９の性能などに応じて決定される。また、スイッチング周波数の上限は、ＵＶ強度決定部７２及びＦＥＴ４９の性能、スイッチングノイズの要件などに応じて決定される。
【００２８】
図４を参照して、ＵＶＬＥＤ照射システム１の動作の一例を説明する。図４において、縦軸は、下段から、人感検知信号、臭気レベルＬｏ及びＵＶ照射強度を示し、横軸は時間を示す。なお、図面は、説明の便宜上、縮尺通りとは限らない。
【００２９】
時刻ｔ０〜ｔ１において、空間Ｓ（室内）に使用者が存在しているものとする。したがって、在信号が入力されている点消灯制御部７１は、ＵＶＬＥＤ点灯装置４０にＵＶＬＥＤ３０を消灯させる。そのため、ＵＶ照射強度はゼロであり、臭気レベルＬｏが上昇していく。
【００３０】
時刻ｔ１〜ｔ３において、空間Ｓに使用者が不在となるものとする。ＵＶ強度決定部７２は、時刻ｔ１における臭気レベルＬｏに応じたＵＶ照射強度となるようにＵＶＬＥＤ点灯装置４０を制御し、その後は臭気レベルＬｏの減少に応じてＵＶ照射強度が減少するようにＵＶＬＥＤ点灯装置４０を制御する。なお、臭気レベルゼロに対応するＵＶ照射強度はゼロでなくてもよい。
【００３１】
ここで、線Ａ（実線）に示すように、臭気レベルＬｏがゼロとなっても、不在信号が出力されている間は、汚染予防のために微量のＵＶ照射強度（待機用照射強度）が維持されるようにしてもよい。例えば、時刻ｔ２において、臭気レベルＬｏがゼロとなるが、時刻ｔ２〜ｔ３においては、ＵＶ強度決定部７２は、待機用照射強度を維持するようにＵＶＬＥＤ点灯装置４０を制御する。これにより、壁掛便器２における微量の汚染物質からの汚染の増加が確実に防止される。待機用照射強度は、ＵＶ照射強度の最大値の１〜１０％程度であればよい。一方、線Ｂ（点線）に示すように、臭気レベルＬｏがゼロとなった場合には、ＵＶ照射強度をゼロとしてもよい（すなわち、ＵＶＬＥＤ点灯装置４０の出力を停止させてもよい）。これにより、ＵＶＬＥＤ照射システム１における省エネ性が向上する。
【００３２】
時刻ｔ３〜ｔ４において、空間Ｓに使用者が存在するものとする。したがって、ＵＶ照射強度はゼロとなり、臭気レベルＬｏが上昇していく。
時刻ｔ４〜ｔ５において、空間Ｓに使用者が不在となるものとする。ＵＶ強度決定部７２は、時刻ｔ４における臭気レベルＬｏに応じたＵＶ照射強度となるようにＵＶＬＥＤ点灯装置４０を制御し、その後は臭気レベルＬｏの減少に応じてＵＶ照射強度が減少するようにＵＶＬＥＤ点灯装置４０を制御する。
時刻ｔ５〜ｔ６において、空間Ｓに使用者が存在するものとする。したがって、ＵＶ照射強度はゼロとなり、臭気レベルＬｏが上昇していく。
時刻ｔ６〜ｔ９における動作は、時刻ｔ１〜ｔ４における動作と実質的に同様である。
【００３３】
本実施形態のＵＶＬＥＤ照射システム１は、上述したように、各１つの照明用ＬＥＤ１０、ＬＥＤ点灯装置２０、ＵＶＬＥＤ３０、ＵＶＬＥＤ点灯装置４０、人感センサ５０、臭気センサ６０及び制御部７０を１ユニットとして成立する。一方、ＵＶＬＥＤ照射システム１が複数の照明用ＬＥＤ１０及び複数のＵＶＬＥＤ３０を含む場合に、人感センサ５０及び臭気センサ６０の設置数は、照明用ＬＥＤ１０の設置数又はＵＶＬＥＤ３０の設置数よりも少なくてもよい（各１つ設置されていればよい）。
【００３４】
例えば、図５に示すように、ＵＶＬＥＤ照射システム１は、空間Ｓに対して、１つの人感センサ５０、１つの臭気センサ６０及び１つの制御部７０並びにｎ個のユニットＵ−１〜Ｕ−ｎを備えるようにしてもよい。この場合、ユニットＵ−１〜Ｕ−ｎの各々が、照明用ＬＥＤ１０、ＬＥＤ点灯装置２０、ＵＶＬＥＤ３０及びＵＶＬＥＤ点灯装置４０を備える。なお、以降の説明において、ユニットＵ−１〜Ｕ−ｎを総称して又はいずれか１つを代表してユニットＵという。
【００３５】
この構成では、人感センサ５０から在信号が出力される場合、制御部７０の点消灯制御部７１（不図示）が、各ユニットＵのＬＥＤ点灯装置２０に照明用ＬＥＤ１０を点灯させ、ＵＶＬＥＤ点灯装置４０にＵＶＬＥＤ３０を消灯させる。一方、人感センサ５０から不在信号が入力される場合、制御部７０の点消灯制御部７１が、各ユニットＵの各々のＬＥＤ点灯装置２０に照明用ＬＥＤ１０を消灯させ、ＵＶＬＥＤ点灯装置４０にＵＶＬＥＤ３０を点灯させる。そして、制御部７０のＵＶ強度決定部７２（不図示）が、臭気センサ６０からの汚染レベル信号の臭気レベルＬｏに応じて、各ユニットＵのＵＶＬＥＤ点灯装置４０の出力を制御する。この場合、すべてのユニットＵのＵＶＬＥＤ３０によるＵＶ照射強度は同一となる。
【００３６】
なお、ＵＶＬＥＤ照射システム１の構成には、種々のバリエーションが可能である。例えば、照明用ＬＥＤ１０の設置数とＵＶＬＥＤ３０の設置数とは異なっていてもよい。また、人感センサ５０の設置数と臭気センサ６０の設置数とは異なっていてもよい。複数の人感センサ５０が同じ室内に設置される場合には、複数の不在信号の論理和（ＯＲ）が採用されるものとする。また、複数の臭気センサ６０が同じ室内に設置される場合には、複数の汚染レベル信号が示す臭気レベルの平均値、中央値又は最大値が採用されるものとする。また、１つのＵＶＬＥＤ３０の照射エリアが、１つの壁掛便器２に対応するようにしてもよいし（図２参照）、複数の壁掛便器２を含むようにしてもよい。
【００３７】
以上のように、本実施形態のＵＶＬＥＤ照射システム１は、壁掛便器２を含む検知エリアの人体の不在を検知した場合に不在信号を出力する人感センサ５０と、壁掛便器２を含む空間の臭気レベルＬｏを示す汚染レベル信号を出力する臭気センサ６０と、壁掛便器２に紫外線を照射可能なＵＶＬＥＤ３０と、ＵＶＬＥＤ３０を可変の出力状態で点灯可能なＵＶＬＥＤ点灯装置４０と、不在信号が出力されている場合にＵＶＬＥＤ点灯装置４０にＵＶＬＥＤ３０を点灯させる点消灯制御部７１と、臭気レベルＬｏの増加に対して紫外線の照射強度が増加するようにＵＶＬＥＤ点灯装置４０の出力状態を決定するＵＶ強度決定部７２とを備える。
【００３８】
このように、ＵＶ強度決定部７２が、臭気レベルＬｏの増加に応じてＵＶＬＥＤ３０からの紫外線の照射強度が増加するようにＵＶＬＥＤ点灯装置４０の出力状態を決定する。これにより、光触媒加工された壁掛便器２などの対象物の汚染状態に応じて適量の紫外線を照射することができるＵＶＬＥＤ照射システム１が実現される。
【００３９】
＜第２の実施形態＞
上記第１の実施形態では、ＵＶ照射強度が専ら汚染レベル信号の臭気レベルに基づく構成を示したが、本実施形態では、ＵＶ照射強度が臭気レベルだけでなくＵＶ照射間隔にも基づく構成を示す。本実施形態は、例えば空間Ｓが換気される場合などに臭気センサ６０に到達する臭気が減少しても対象物（壁掛便器２）の汚染レベルは減少していない場合もあり得ることを考慮するものである。
【００４０】
図６に本実施形態のＵＶＬＥＤ照射システム１のブロック図を示す。本実施形態は、制御部７０が計時部７３を備える点で第１の実施形態とは異なる。本実施形態において、第１の実施形態の構成と実質的に同様の構成には同一の符号を付し、その重複する説明を省略する。
【００４１】
計時部７３は、ｎ回目の不在信号の出力からｎ＋１回目の不在信号の出力までの時間間隔Ｔ（すなわち、ｎ回目の在信号の継続時間）を測定する。ＵＶ強度決定部７２は、この時間間隔Ｔの増加に応じてｎ＋１回目のＵＶ照射強度が増加するようにＵＶＬＥＤ点灯装置４０を制御する。
【００４２】
ＵＶ強度決定部７２は、時間間隔Ｔが所定値を超えた場合には臭気レベルＬｏにかかわらず、所定強度でのＵＶ照射を行うようにＵＶＬＥＤ点灯装置４０を制御してもよい。この所定強度は、その時点での臭気レベルＬｏに対応するＵＶ照射強度よりも高いものとする。例えば、ＵＶ強度決定部７２は、臭気レベルＬｏに対して第１のＵＶ照射強度を演算し、時間間隔Ｔが所定値を超える場合に時間間隔Ｔに応じた係数α（１＜α）を第１のＵＶ照射強度に乗算して第２のＵＶ照射強度を演算し、第２のＵＶ照射強度に対応する出力状態を決定することができる。あるいは、ＵＶ強度決定部７２は、臭気レベルＬｏに対して第１のＵＶ照射強度を演算し、時間間隔Ｔに対して第２のＵＶ照射強度を演算し、第１のＵＶ照射強度と第２のＵＶ照射強度のうちの高い方を選択して、選択したＵＶ照射強度に対応する出力状態を決定してもよい。この場合、第２のＵＶ照射強度は、ＵＶ照射時間（すなわち、不在信号の継続時間）の増加に対して減少するように設定され得る。
【００４３】
以上のように、本実施形態によるＵＶＬＥＤ照射システム１は、ｎ回目の不在信号の出力からｎ＋１回目の不在信号の出力までの時間間隔Ｔを測定する計時部７３をさらに備え、ＵＶ強度決定部７２が、時間間隔Ｔの増加に応じてｎ＋１回目のＵＶ照射強度が増加するように出力状態を決定する。これにより、空間Ｓの窓開放などによる換気によって壁掛便器２から天井Ｃの臭気センサ６０まで臭気成分が到達しにくい場合においても、ＵＶＬＥＤ３０によるＵＶ照射が適宜行われる。したがって、第１の実施形態における効果が得られることに加えて、汚染がより確実に抑制される。
【００４４】
＜第３の実施形態＞
上記第１の実施形態では、空間Ｓの使用者の在／不在に応じてＵＶＬＥＤ３０を点灯する構成を示したが、本実施形態では、壁掛便器２に正対する使用者の在／不在に応じてＵＶＬＥＤ３０を点灯させる構成を示す。
【００４５】
図７に、本実施形態のＵＶＬＥＤ照射システム１のブロック図を示す。ＵＶＬＥＤ照射システム１の概観図は図２と同様である。図７に関して、本実施形態は、制御部７０（点消灯制御部７１）とＬＥＤ点灯装置２０との間に配線がない点で第１の実施形態（図１参照）とは異なる。また、図２に関して、本実施形態は、天井Ｃに設置された人感センサ５０ではなく、壁掛便器２の人感センサ５５が利用される点で第１の実施形態とは異なる。本実施形態において、第１の実施形態の構成と実質的に同様の構成には同一の符号を付し、その重複する説明を省略する。
【００４６】
人感センサ５５は、壁Ｗ（又は壁掛便器２の前面）と対向する側を向けて設置された狭域の人感センサであり、例えば、壁掛便器２の蓋部に取り付けられる。人感センサ５５は、壁掛便器２に正対する人体を検知し、人体の不在を検知した場合に不在信号を出力する。人感センサ５５は、一般的な壁掛便器２の自動洗浄システムに用いられる焦電型赤外センサなどであればよく、人感センサ５５の人感検知信号が便器洗浄用のシステム（不図示）及び制御部７０の点消灯制御部７１に出力されるように配線されるものとする。
【００４７】
点消灯制御部７１は、人感センサ５５から在信号が入力される場合、ＵＶＬＥＤ点灯装置４０にＵＶＬＥＤ３０を消灯させる。一方、点消灯制御部７１は、人感センサ５５から不在信号が入力される場合、その入力の直後又は所定時間経過後に、ＵＶＬＥＤ点灯装置４０にＵＶＬＥＤ３０を点灯させる。この所定時間を確保することによって、使用者が壁掛便器２から離れるも未だその付近に存在する場合に、壁掛便器２又はその付近の床面若しくは壁面からの反射ＵＶがその使用者に当たらないようにすることができる。なお、ＬＥＤ点灯装置２０は、壁スイッチ（不図示）によるユーザ操作又は別の系統の人感センサ（不図示）による制御に基づいて、照明用ＬＥＤ１０を点灯／消灯するものとする。
【００４８】
本実施形態のＵＶＬＥＤ照射システム１は、上述したように、各１つの照明用ＬＥＤ１０、ＬＥＤ点灯装置２０、ＵＶＬＥＤ３０、ＵＶＬＥＤ点灯装置４０、人感センサ５５、臭気センサ６０及び制御部７０を１ユニットとして成立し得る。一方、ＵＶＬＥＤ照射システム１が複数のＵＶＬＥＤ３０を含む場合に、臭気センサ６０の設置数はＵＶＬＥＤ３０の設置数よりも少なくてもよい（１つが設置されていればよい）。
【００４９】
例えば、図８に示すように、ＵＶＬＥＤ照射システム１は、空間Ｓに対して、１つの臭気センサ６０及び１つのＵＶ強度決定部７２並びにｎ個のユニットＵ−１〜Ｕ−ｎを備えるようにしてもよい。この場合、各ユニットＵが、ＵＶＬＥＤ３０、ＵＶＬＥＤ点灯装置４０、人感センサ５５及び点消灯制御部７１を備え、各壁掛便器２に対応する。制御部７０を構成する複数の点消灯制御部７１及び１つのＵＶ強度決定部７２は分散配置され得る。照明用ＬＥＤ１０及びＬＥＤ点灯装置２０は、他の構成要素から独立しており、その設置位置及び設置数は任意である。
【００５０】
この構成では、各ユニットＵにおいて、点消灯制御部７１は、人感センサ５５から在信号が入力される場合にはＵＶＬＥＤ点灯装置４０にＵＶＬＥＤ３０を消灯させ、人感センサ５５から不在信号が入力される場合には（その入力の直後又は所定時間経過後に）ＵＶＬＥＤ点灯装置４０にＵＶＬＥＤ３０を点灯させる。そして、ＵＶ強度決定部７２が、臭気センサ６０からの汚染レベル信号の臭気レベルＬｏに応じて、各ユニットＵのＵＶＬＥＤ点灯装置４０の出力状態を決定する。この場合、すべてのＵＶ照射中のユニットＵのＵＶＬＥＤ３０によるＵＶ照射強度は同一となる。
【００５１】
以上のように、本実施形態によるＵＶＬＥＤ照射システム１では、人感センサ５５が、壁掛便器２に正対する人体を検出するように構成される。これにより、各壁掛便器２に対して個別にＵＶＬＥＤ３０の点消灯が制御されるので、空間Ｓ全体として空室となり難い状況（ターミナル駅のトイレ、サービスエリアのトイレなど）においても、各壁掛便器２へのＵＶ照射を頻繁に行うことができる。したがって、第１の実施形態における効果が得られることに加えて、各壁掛便器２の汚染レベルがより確実に抑制される。
【００５２】
＜第４の実施形態＞
上記第１の実施形態では広域の人感センサ５０を用いる構成を示し、上記第３の実施形態では狭域の人感センサ５５を用いる構成を示したが、本実施形態では、広域の人感センサ５０及び狭域の人感センサ５５の双方を用いてＵＶ照射を制御する構成を示す。概略として、本実施形態のＵＶＬＥＤ照射システム１は、室内全体で使用者が不在の場合には第１の実施形態と同様に臭気レベルＬｏに応じた強度でＵＶ照射を行い、室内に使用者が存在する場合には、使用中でない壁掛便器２に対してのみ低レベルの強度でＵＶ照射を行う。
【００５３】
図９に本実施形態のＵＶＬＥＤ照射システム１のブロック図を示す。本実施形態において、第１又は第３の実施形態の構成と実質的に同様の構成には同一の符号を付し、その重複する説明を省略する。なお、説明の明確化のため、人感センサ５０及び人感センサ５５をそれぞれ広域人感センサ５０及び狭域人感センサ５５というものとする。
【００５４】
ＵＶＬＥＤ照射システム１は、空間Ｓに対して、１つの広域人感センサ５０、１つの臭気センサ６０及び１つのＵＶ強度決定部７２並びにｎ個のユニットＵ−１〜Ｕ−ｎを備える。各ユニットＵは、ＵＶＬＥＤ３０、ＵＶＬＥＤ点灯装置４０、狭域人感センサ５５及び出力調整部７４を備え、各壁掛便器２に対応する。照明用ＬＥＤ１０及びＬＥＤ点灯装置２０は、他の構成要素から独立していてもよいし、破線で示すように点消灯制御部７１を介して広域人感センサ５０に接続され、広域人感センサ５０の検知結果に応じて点消灯が制御されるようにしてもよい。また、照明用ＬＥＤ１０及びＬＥＤ点灯装置２０の設置位置及び設置数は任意である。なお、制御部７０を構成する点消灯制御部７１（接続される場合）、ＵＶ強度決定部７２及び出力調整部７４は分散配置され得る。
【００５５】
各ユニットＵにおいて、出力調整部７４は、広域人感センサ５０からの人感検知信号、狭域人感センサ５５からの人感検知信号、及びＵＶ強度決定部７２からの汚染レベル信号を受けて、ＵＶＬＥＤ点灯装置４０の出力を制御する。ＵＶ強度決定部７２は、臭気センサ６０からの汚染レベル信号の臭気レベルＬｏに応じて各ユニットＵのＵＶ照射強度を決定し、このＵＶ照射強度を示す信号を出力調整部７４に出力する。この場合、すべてのユニットＵに対して決定されるＵＶ照射強度は同一となる。なお、ＵＶＬＥＤ照射システム１は、ｎ＝１でも成立する。
【００５６】
広域人感センサ５０から不在信号が出力される場合（この場合、狭域人感センサ５５からも不在信号が出力される）、すべてのユニットＵの出力調整部７４は、ＵＶ強度決定部７２によって決定された出力状態が得られるようにＵＶＬＥＤ点灯装置４０を制御する。
広域人感センサ５０にから在信号が出力される場合でかつ狭域人感センサ５５から不在信号が出力される場合、当該不在信号を出力しているユニットＵの出力調整部７４は、所定の低レベルの出力状態が得られるようにＵＶＬＥＤ点灯装置４０を制御する。
狭域人感センサ５５から在信号が出力される場合（この場合、広域人感センサ５０からも在信号が出力される）には、当該在信号を出力しているユニットＵの出力調整部７４はＵＶＬＥＤ点灯装置４０の出力を停止させる。
【００５７】
すなわち、広域人感センサ５０から不在信号が出力されている場合には、第１の実施形態と同様に、臭気レベルＬｏに応じたＵＶ照射強度でＵＶ照射が行われる。一方、いずれかの狭域人感センサ５５から不在信号が出力されるが、広域人感センサ５０からは在信号が出力される場合、これは使用されていない壁掛便器２もあるが、空間Ｓ（室内）のどこかに使用者がいることを意味する。この場合、第３の実施形態と同様に、使用者不在の（すなわち、使用されていない）壁掛便器２に対してのみＵＶ照射が行われる。
【００５８】
ここで、ＵＶ照射中の壁掛便器２又はその付近の床面若しくは壁面からの反射ＵＶが空間Ｓ内の使用者に当たらないように、上記の低レベルの出力状態（低レベルのＵＶ照射強度）は、空間Ｓが空室となった場合の出力状態（通常のＵＶ照射強度）よりも低いことが好ましい。例えば、低レベルの出力状態は、予め決定された固定のＵＶ照射強度に対応するものであってもよいし、臭気レベルＬｏに応じた照射強度に所定の係数α（０＜α＜１）を掛けたＵＶ照射強度に対応するものであってもよい。低レベルの出力状態が固定される場合、この出力状態に対応するＵＶ照射強度は、ＵＶ照射強度の最大値の５０％以下であればよく、好ましくは２５％以下、より好ましくは１０％以下であればよい。
【００５９】
図１０Ａ及び図１０ＢはＵＶＬＥＤ点灯装置４０の出力制御の構成を説明する図であり、それぞれ第１の実施形態の図３Ａ及び図３Ｂに対応する。ＦＥＴ４４は、ドライバ４７によってＰＷＭ駆動される。出力調整部７４は、広域人感センサ５０から不在信号が入力される場合、ＵＶ強度決定部７２によって決定されるＵＶ照射強度を得るようにＦＥＴ４４のＰＷＭ駆動におけるオン時間（又はオンデューティ）を決定する。出力調整部７４は、広域人感センサ５０から在信号が入力され、かつ狭域人感センサ５５から不在信号が入力される場合、上記の低レベルの出力状態が得られるようにＦＥＴ４４のＰＷＭ駆動におけるオン時間（又はオンデューティ）を決定する。出力調整部７４は、狭域人感センサ５５から在信号が入力される場合、ＦＥＴ４４のＰＷＭ駆動を停止させる。
【００６０】
また、図１０Ｂに示す構成では、出力調整部７４は、広域人感センサ５０から不在信号が入力される場合、ＵＶ強度決定部７２によって決定されるＵＶ照射強度を得るようにＦＥＴ４９のＰＷＭ駆動におけるオンデューティを決定する。出力調整部７４は、広域人感センサ５０から在信号が入力され、かつ狭域人感センサ５５から不在信号が入力される場合、上記の低レベルの出力状態が得られるようにＦＥＴ４９のＰＷＭ駆動におけるオンデューティを決定する。出力調整部７４は、狭域人感センサ５５から在信号が入力される場合、ＦＥＴ４９をオフに維持する。本例でも第１の実施形態と同様に、ＦＥＴ４９のＰＷＭ駆動におけるスイッチング周波数は、０．１Ｈｚ〜１００ｋＨｚ程度であればよい。
【００６１】
以上のように、本実施形態のＵＶＬＥＤ照射システム１は、壁掛便器２を含む室内の人体の不在を検知した場合に第１の不在信号を出力する広域人感センサ５０と、壁掛便器２に正対する人体の不在を検知した場合に第２の不在信号を出力する狭域人感センサ５５と、室内の臭気レベルＬｏを示す汚染レベル信号を出力する臭気センサ６０と、壁掛便器２に紫外線を照射可能なＵＶＬＥＤ３０と、ＵＶＬＥＤ３０を可変の出力状態で点灯可能なＵＶＬＥＤ点灯装置４０と、臭気レベルＬｏの増加に対して紫外線の照射強度が増加するように出力状態を決定するＵＶ強度決定部７２と、第１の不在信号が出力されている場合には、ＵＶ強度決定部７２によって決定された出力状態を得るようにＵＶＬＥＤ点灯装置４０を制御し、第１の不在信号が出力されずかつ第２の不在信号が出力されている場合には、所定の低レベルの出力状態を得るようにＵＶＬＥＤ点灯装置４０を制御する出力調整部７４とを備える。
【００６２】
これにより、室内全体で使用者が不在の場合には臭気レベルＬｏに応じたＵＶ照射強度でＵＶ照射が行われ、室内に使用者が存在する場合には使用中でない壁掛便器２に対してのみ低レベルのＵＶ照射強度でＵＶ照射が行われる。したがって、第１の実施形態における効果が得られるとともに、ＵＶ照射の頻度を高めて各壁掛便器２に対するＵＶ照射量を確保しつつも、室内に存在する使用者に対する反射ＵＶの影響を抑制することが可能となる。
【００６３】
＜変形例＞
以上に本発明の好適な実施形態を示したが、本発明は、例えば以下に示すように種々の態様に変形可能である。
【００６４】
（１）対象物に関する変形
上記第１から第４の実施形態では、ＵＶ照射の対象物を壁掛便器２としたが、対象物はこれに限られず、例えば他の形態の便器であってもよい。また、光触媒加工（光触媒コーティング、光触媒膜の塗布など）が可能であり、かつアンモニアなどの臭気を発する対象物であれば、どのような対象物に対しても本発明は適用可能である。
【００６５】
（２）臭気センサ６０の変形
上記第１から第４の実施形態では、臭気センサ６０がアンモニアを検出するセンサである構成を示したが、臭気センサ６０は、メタンチオール、硫化水素、アミン類などの他の臭気成分を検出するセンサであってもよい。また、臭気センサ６０は、上記臭気成分の２つ以上を検出可能なセンサであってもよい。
【符号の説明】
【００６６】
１  ＵＶＬＥＤ照射システム
２  壁掛便器（対象物）
１０  照明用ＬＥＤ
２０  ＬＥＤ点灯装置
３０  ＵＶＬＥＤ
４０  ＵＶＬＥＤ点灯装置
５０  人感センサ（広域人感センサ）
５５  人感センサ（狭域人感センサ）
６０  臭気センサ
７０  制御部
７１  点消灯制御部
７２  ＵＶ強度決定部
７３  計時部
７４  出力調整部
【図１】
2018190604.tif 000003
【図２】
2018190604.tif 000004
【図３Ａ】
2018190604.tif 000005
【図３Ｂ】
2018190604.tif 000006
【図４】
2018190604.tif 000007
【図５】
2018190604.tif 000008
【図６】
2018190604.tif 000009
【図７】
2018190604.tif 000010
【図８】
2018190604.tif 000011
【図９】
2018190604.tif 000012
【図１０Ａ】
2018190604.tif 000013
【図１０Ｂ】
2018190604.tif 000014